(57)【要約】【課題】バストの造形性を高めることが可能なカップ部を有する衣類を提供する。【解決手段】本発明の一実施形態に係るカップ部を有する衣類１は、バストを覆うカップ部を有する衣類であって、カップ部１０における上カップ部１２と下カップ部１６との間には、中カップ部１４が接ぎ合わせされており、中カップ部１４は、バストトップＴが上カップ部１２と中カップ部１４との境界、又は、中カップ部１４に位置するように配置されており、カップ部１０の下辺部前中心側縁１０ｌｆ又は上辺部前中心側縁から、下辺部脇側縁、脇辺部縁１０ｓ又は上辺部脇側縁まで延在している。【選択図】図１
2014070285.tif 000002
【特許請求の範囲】
【請求項１】
バストを覆うカップ部を有する衣類であって、
前記カップ部における上カップ部と下カップ部との間には、中カップ部が接ぎ合わせされており、
前記中カップ部は、バストトップが前記上カップ部と前記中カップ部との境界、又は、前記中カップ部に位置するように配置されており、前記カップ部の下辺部前中心側縁又は上辺部前中心側縁から、下辺部脇側縁、脇辺部縁又は上辺部脇側縁まで延在している、
カップ部を有する衣類。
【請求項２】
前記中カップ部における前中心側端部の幅は、脇側端部の幅よりも広い、請求項１に記載のカップ部を有する衣類。
【請求項３】
前記中カップ部における脇側端部の幅は、前中心側端部の幅よりも広い、請求項１に記載のカップ部を有する衣類。
【請求項４】
前記中カップ部における前中心側端部の幅及び脇側端部の幅は、中央部の幅と同等である、請求項１に記載のカップ部を有する衣類。
【発明の詳細な説明】
【技術分野】
【０００１】
本発明は、バストを覆うためのカップ部を有する衣類に関するものである。
【背景技術】
【０００２】
バストを覆うためのカップ部を有する衣類として、例えばブラジャーが挙げられる。ブラジャーのカップ部は、バストの丸い形状にフィットさせるために、例えば図７に示すように、三枚の布地を略Ｔ字状の接ぎ目を有するように接ぎ合わせることにより立体的に形成される（以下では、これをＴ字状三枚接ぎという。）。具体的には、Ｔ字状三枚接ぎカップ部１０Ｘは、着用時にバストトップＴよりも下部前中心側を覆う布地１４Ｘと、着用時にバストトップＴよりも下部脇側を覆う布地１６Ｘとを縦方向の継ぎ目を有するように接ぎ合わせ、更に、これらの縦接ぎ布地と、着用時にバストトップＴよりも上部を覆う布地１２Ｘとを横方向の継ぎ目を有するように接ぎ合わせることにより形成される。
【０００３】
また、特許文献１及び２には、四枚の布地を接ぎ合わせたカップ部を有するブラジャーが開示されている。特許文献１及び２に開示のブラジャーのカップ部は、上記したＴ字状三枚接ぎカップ部において、下部前中心側布地と下部脇側布地との間にもう一枚の布地を縦方向の継ぎ目を有するように接ぎ合わせされている。
【先行技術文献】
【特許文献】
【０００４】
【特許文献１】特開２００６−１２４８９０号公報
【特許文献２】特開２００６−１３２０４９号公報
【発明の概要】
【発明が解決しようとする課題】
【０００５】
ところで、カップ部を有する衣類では、バストの造形性を高めること、特に、左右のバストの間の谷間が深く、バストトップが丸いことが要望されている。
【０００６】
そこで、本発明は、バストの造形性を高めることが可能なカップ部を有する衣類を提供することを目的としている。
【課題を解決するための手段】
【０００７】
本願発明者らは、縦方向の接ぎ目を有する縦接ぎカップ部よりも、横方向の継ぎ目を有する横接ぎカップ部の方が、バストの丸い形状によりフィットし、その結果、バストの造形性を高めることができること、特に、左右のバストの間の谷間を深くすることができ、バストトップを丸くすることができることを見出した。
【０００８】
そこで、本発明のカップ部を有する衣類は、バストを覆うカップ部を有する衣類であって、カップ部における上カップ部と下カップ部との間には、中カップ部が接ぎ合わせされており、中カップ部は、バストトップが上カップ部と中カップ部との境界、又は、中カップ部に位置するように配置されており、カップ部の下辺部前中心側縁又は上辺部前中心側縁から、下辺部脇側縁、脇辺部縁又は上辺部脇側縁まで延在している。
【０００９】
このカップ部を有する衣類によれば、カップ部が、上カップ部、中カップ部及び下カップ部からなる横三枚接ぎカップ部であるので、丸い形状のバストに対するカップ部のフィット性を高めることができ、その結果、バストの造形性を高めることができる。特に、左右のバストの間の谷間を深くすることができ、バストトップを丸くすることができる。
【００１０】
更に、バストの造形性が高く、バストに対するカップ部のフィット性が高いことにより、カップ部がバストに安定して着くので、バストに対するカップ部のずれ、特に、着用者の動きに起因して生じるカップ部の上辺部の浮き又はくい込みを抑制することができる。
【００１１】
上記した中カップ部における前中心側端部の幅は、脇側端部の幅よりも広い形態であってもよい。この構成によれば、中カップ部の前中心側端部の幅が広いので、バストの丸い形状に好適にフィットし、その結果、バストの造形性を高めることができる。
【００１２】
また、上記した中カップ部における脇側端部の幅は、前中心側端部の幅よりも広い形態であってもよい。この構成によれば、中カップ部の脇側端部の幅が広いので、バストの丸い形状に好適にフィットし、その結果、バストの造形性を高めることができる。また、中カップ部によって寄せ効果を高めることができる。
【００１３】
また、上記した中カップ部における前中心側端部の幅及び脇側端部の幅は、中央部の幅と同等である形態であってもよい。この構成によれば、中カップ部の前中心側端部から脇側端部までの幅が広いので、バストの丸い形状により好適にフィットし、その結果、バストの造形性を高めることができる。また、中カップ部によって寄せ効果を高めることができる。更に、中カップ部の接ぎ合わせ時、中カップ部の前中心側端部及び脇側端部を支持し易く、製造が容易である。
【発明の効果】
【００１４】
本発明によれば、バストの造形性を高めることができる。特に、左右のバストの間の谷間を深くすることができ、バストトップを丸くすることができる。
【００１５】
また、バストの造形性が高く、バストに対するカップ部のフィット性が高いことにより、カップ部がバストに安定して着くので、バストに対するカップ部のずれ、特に、着用者の動きに起因して生じるカップ部の上辺部の浮き又はくい込みを抑制することができる。
【図面の簡単な説明】
【００１６】
【図１】本発明の第１の実施形態に係るブラジャーを示す斜視図である。
【図２】本発明の第１の実施形態の第１の変形例（ａ）、第２の変形例（ｂ）及び第３の変形例（ｃ）に係るブラジャーの左右の一方のみを示す図である。
【図３】本発明の第１の実施形態の第４の変形例（ａ）、第５の変形例（ｂ）及び第６の変形例（ｃ）に係るブラジャーの左右の一方のみを示す図である。
【図４】本発明の第２の実施形態に係るブラジャーを示す斜視図である。
【図５】本発明の第２の実施形態の第１の変形例（ａ）、第２の変形例（ｂ）及び第３の変形例（ｃ）に係るブラジャーの左右の一方のみを示す図である。
【図６】本発明の第２の実施形態の第４の変形例（ａ）、第５の変形例（ｂ）及び第６の変形例（ｃ）に係るブラジャーの左右の一方のみを示す図である。
【図７】従来のブラジャーを示す斜視図である。
【発明を実施するための形態】
【００１７】
以下、図面を参照して本発明のカップ部を有する衣類の好適な実施形態について詳細に説明する。なお、各図面において同一又は相当の部分に対しては同一の符号を附すこととする。
［第１の実施形態］
【００１８】
図１は、本発明の第１の実施形態に係るブラジャーを示す斜視図である。この第１の実施形態のブラジャー１は、カップ部１０と、土台部２２と、バックベルト部２４と、肩紐部２６とを備えている。なお、ブラジャー１は左右略対称であるので、以下では左右の一方のみによって説明する。
【００１９】
カップ部１０は、バストを覆うためのものであり、土台部２２に支持されている。土台部２２は、非伸縮性の布からなっており、カップ部１０の下辺部と縫着されている。土台部２２の脇側には、バックベルト部２４が縫着されている。バックベルト部２４は、伸縮性の布からなっており、背中において連結することによって、土台部２２及びカップ部１０を支持するためのものである。また、カップ部１０の上辺部脇側には、肩紐部２６が縫着されている。肩紐部２６は、伸縮性のテープ材からなっており、肩を介してバックベルト部２４に連結されることによって、カップ部１０を支持するためのものである。
【００２０】
また、カップ部１０と土台部２２との境界の裏側（肌側）には、バージスラインに沿ってテープ部材が縫着されており、このテープ部材の内部には、カップワイヤー３０が装着されている。なお、カップワイヤー３０は必ずしも備えなくてもよい。また、土台部２２の下辺部の裏側、バックベルト部２４の下辺部の裏側、及び、土台部２２とバックベルト部２４との連結部の裏側には、伸縮性のテープ部材が縫着されている。また、カップ部１０の脇辺部から土台部２２の上辺部を介してバックベルト部２４の上辺部までの裏側にも、伸縮性のテープ部材が縫着されている。
【００２１】
次に、カップ部１０について詳細に説明する。カップ部１０は、上カップ部１２と、中カップ部１４と、下カップ部１６とを有している。上カップ部１２、中カップ部１４、及び、下カップ部１６は、例えば非伸縮性の布からなっている。なお、中カップ部１４、及び、下カップ部１６は、二重の布の間にポリウレタンなどの層を設け、厚み及び弾力性を有していてもよい。
【００２２】
中カップ部１４は、上カップ部１２と下カップ部１６との間に接ぎ合わされている。具体的には、上カップ部１２と中カップ部１４とは、設計上、バストトップＴがこれらの境界に位置するように、かつ、着用時に、バストトップＴがこれらの境界又は中カップ部１４に位置するように、配置されており、上カップ部１２の下辺部と中カップ部１４の上辺部とが接ぎ合わされている。また、下カップ部１６は、中カップ部１４の下側に配置されており、中カップ部１４の下辺部と下カップ部１６の上辺部とが接ぎ合わされている。
【００２３】
中カップ部１４は、カップ部１０の下辺部前中心側縁１０ｌｆから、バストトップＴ近傍を通り、脇辺部縁１０ｓまで、略直線状に延在する帯状をなしている。中カップ部１４は、前中心側端部１４ｆから脇側端部１４ｓにわたり略同等の幅を有している。すなわち、中カップ部１４における前中心側端部１４ｆの幅Ｗｆ及び脇側端部１４ｓの幅Ｗｓは、中カップ部１４における中央部の幅Ｗｃと略同等である。このように、カップ部１０は、横方向の継ぎ目を有する横三枚接ぎカップ部を形成している。
【００２４】
また、中カップ部１４は、上カップ部１２及び下カップ部１６よりも厚くなっている。これにより、中カップ部１４によるバストの押し上げ力は、上カップ部１２及び下カップ部１６よりも更に強くなっている。
【００２５】
ここで、例えば図７に示すように、従来のブラジャー１Ｘのカップ部１０Ｘは、バストの丸い形状にフィットさせるために、三枚の布地１２Ｘ，１４Ｘ，１６Ｘを略Ｔ字状の接ぎ目を有するように接ぎ合わせることにより立体的に形成される（以下では、これをＴ字状三枚接ぎという。）。具体的には、Ｔ字状三枚接ぎカップ部１０Ｘは、着用時にバストトップＴよりも下部前中心側を覆う布地１４Ｘと、着用時にバストトップＴよりも下部脇側を覆う布地１６Ｘとを縦方向の継ぎ目を有するように接ぎ合わせ、更に、これらの縦接ぎ布地１４Ｘ，１６Ｘと、着用時にバストトップＴよりも上部を覆う布地１２Ｘとを横方向の継ぎ目を有するように接ぎ合わせることにより形成される。
【００２６】
しかしながら、本願発明者らは、縦方向の接ぎ目を有する縦接ぎカップ部よりも、横方向の継ぎ目を有する横接ぎカップ部の方が、バストの丸い形状によりフィットし、その結果、バストの造形性を高めることができること、特に、左右のバストの間の谷間を深くすることができ、バストトップを丸くすることができることを見出した。
【００２７】
この第１の実施形態のブラジャー１によれば、カップ部１０が、上カップ部１２、中カップ部１４及び下カップ部１６からなる横三枚接ぎカップ部であるので、丸い形状のバストに対するカップ部１０のフィット性を高めることができ、その結果、バストの造形性を高めることができる。特に、左右のバストの間の谷間を深くすることができ、バストトップを丸くすることができる。
【００２８】
特に、第１の実施形態のブラジャー１によれば、１０代後半〜２０台前半の女性に多くみられるバストであって、丸い形状で硬く、ボリュームの移動が困難であるバストに好適である。
【００２９】
この種の丸い形状で硬く、ボリュームの移動が困難であるバストの造形性（寄せ、上げ）を高めるためには、バストトップＴ近傍を押し上げることが効果的である。第１の実施形態のブラジャー１によれば、カップ部１０における中カップ部１４がバストトップＴ近傍に位置し、この中カップ部１４によるバストの押し上げ力が上カップ部１２及び下カップ部１６よりも強いので、中カップ部１４によってバストトップＴ近傍を押し上げることができる。したがって、第１の実施形態のブラジャー１によれば、硬くてボリュームの移動が困難であるバストの造形性を高めることができる。
【００３０】
更に、第１の実施形態のブラジャー１によれば、上記したように、バストの造形性が高く、バストに対するカップ部１０のフィット性が高いことにより、カップ部１０がバストに安定して着くので、バストに対するカップ部１０のずれ、特に、着用者の動きに起因して生じるカップ部１０の上辺部の浮き又はくい込みを抑制することができる。
【００３１】
なお、この構成のように、中カップ部１４における前中心側端部１４ｆから脇側端部１４ｓまでの幅を広くすることにより、カップ部１０がバストの丸い形状に好適にフィットし、その結果、バストの造形性を高めることができる。また、中カップ部１４による寄せ効果を高めることができる。更に、中カップ部１４の接ぎ合わせ時、中カップ部１４の前中心側端部及び脇側端部を支持し易く、製造が容易である。
［第１の実施形態の第１の変形例］
【００３２】
図２（ａ）は、本発明の第１の実施形態の第１の変形例に係るブラジャーの左右の一方のみを示す図である。この第１の変形例のブラジャー１Ａは、ブラジャー１においてカップ部１０に代えてカップ部１０Ａを備えている構成で第１の実施形態と異なっている。第１の変形例のブラジャー１Ａの他の構成は、第１の実施形態のブラジャー１と同一である。
【００３３】
カップ部１０Ａは、中カップ部１４Ａにおける各部の幅が中カップ部１４と異なる点でカップ部１０と異なっている。具体的には、中カップ部１４Ａの幅は、脇側端部１４ｓから前中心側端部１４ｆへ向けて次第に広くなっている。すなわち、中カップ部１４Ａにおける前中心側端部１４ｆの幅Ｗｆは、中カップ部１４Ａにおける中央部の幅Ｗｃよりも広くなっており、中カップ部１４Ａにおける中央部の幅Ｗｃは、中カップ部１４Ａにおける脇側端部１４ｓの幅Ｗｓよりも広くなっている。なお、中カップ部１４Ａにおける脇側端部１４ｓは、カップ部１０Ａの脇辺部縁１０ｓに接していることが好ましく、本発明は、その幅Ｗｓが限りなく狭く、点状である形態も含むものとする。
【００３４】
カップ部１０Ａの他の構成は、カップ部１０と同様である。すなわち、カップ部１０Ａは、上カップ部１２Ａと、中カップ部１４Ａと、下カップ部１６Ａとを有しており、中カップ部１４Ａは、上カップ部１２Ａと下カップ部１６Ａとの間に接ぎ合わされている。また、中カップ部１４Ａは、設計上、バストトップＴが上カップ部１２Ａと中カップ部１４Ａとの境界に位置するように、かつ、着用時に、バストトップＴがこれらの境界又は中カップ部１４Ａに位置するように、配置されている。また、中カップ部１４Ａは、カップ部１０Ａの下辺部前中心側縁１０ｌｆから、バストトップＴ近傍を通り、脇辺部縁１０ｓまで、略直線状に延在する帯状をなしている。
【００３５】
この第１の変形例のブラジャー１Ａでも、第１の実施形態のブラジャー１と同様の利点を有する。
【００３６】
なお、この構成のように、中カップ部１４Ａにおける前中心側端部１４ｆの幅Ｗｆを広くすることにより、カップ部がバストの丸い形状に好適にフィットし、その結果、バストの造形性を高めることができることとなる。
［第１の実施形態の第２の変形例］
【００３７】
図２（ｂ）は、本発明の第１の実施形態の第２の変形例に係るブラジャーの左右の一方のみを示す図である。この第２の変形例のブラジャー１Ｂは、ブラジャー１においてカップ部１０に代えてカップ部１０Ｂを備えている構成で第１の実施形態と異なっている。第２の変形例のブラジャー１Ｂの他の構成は、第１の実施形態のブラジャー１と同一である。
【００３８】
カップ部１０Ｂは、中カップ部１４Ｂにおける各部の幅が中カップ部１４と異なる点でカップ部１０と異なっている。具体的には、中カップ部１４Ｂの幅は、前中心側端部１４ｆから脇側端部１４ｓへ向けて次第に広くなっている。すなわち、中カップ部１４Ｂにおける脇側端部１４ｓの幅Ｗｓは、中カップ部１４Ｂにおける中央部の幅Ｗｃよりも広くなっており、中カップ部１４Ｂにおける中央部の幅Ｗｃは、中カップ部１４Ｂにおける前中心側端部１４ｆの幅Ｗｆより広くなっている。なお、中カップ部１４Ｂにおける前中心側端部１４ｆは、カップ部１０Ｂの下辺部前中心側縁１０ｌｆに接していることが好ましく、本発明は、その幅Ｗｆが限りなく狭く、点状である形態も含むものとする。
【００３９】
カップ部１０Ｂの他の構成は、カップ部１０と同様である。すなわち、カップ部１０Ｂは、上カップ部１２Ｂと、中カップ部１４Ｂと、下カップ部１６Ｂとを有しており、中カップ部１４Ｂは、上カップ部１２Ｂと下カップ部１６Ｂとの間に接ぎ合わされている。また、中カップ部１４Ｂは、設計上、バストトップＴが上カップ部１２Ｂと中カップ部１４Ｂとの境界に位置するように、かつ、着用時に、バストトップＴがこれらの境界又は中カップ部１４Ｂに位置するように、配置されている。また、中カップ部１４Ｂは、カップ部１０Ｂの下辺部前中心側縁１０ｌｆから、バストトップＴ近傍を通り、脇辺部縁１０ｓまで、略直線状に延在する帯状をなしている。
【００４０】
この第２の変形例のブラジャー１Ｂでも、第１の実施形態のブラジャー１と同様の利点を有する。
【００４１】
なお、この構成のように、中カップ部１４Ｂにおける脇側端部１４ｓの幅Ｗｓを広くすることにより、カップ部がバストの丸い形状に好適にフィットし、その結果、バストの造形性を高めることができることとなる。また、中カップ部によるバストの寄せ効果を高めることができる。
［第１の実施形態の第３の変形例］
【００４２】
図２（ｃ）は、本発明の第１の実施形態の第３の変形例に係るブラジャーの左右の一方のみを示す図である。この第３の変形例のブラジャー１Ｃは、ブラジャー１においてカップ部１０に代えてカップ部１０Ｃを備えている構成で第１の実施形態と異なっている。第３の変形例のブラジャー１Ｃの他の構成は、第１の実施形態のブラジャー１と同一である。
【００４３】
カップ部１０Ｃは、中カップ部１４Ｃにおける各部の幅が中カップ部１４と異なる点でカップ部１０と異なっている。具体的には、中カップ部１４Ｃの幅は、中央部から前中心側端部１４ｆ及び脇側端部１４ｓへ向けて次第に広くなっている。すなわち、中カップ部１４Ｃにおける中央部の幅Ｗｃは、中カップ部１４Ｃにおける前中心側端部１４ｆの幅Ｗｆ及び脇側端部１４ｓの幅Ｗｓよりも広くなっている。なお、中カップ部１４Ｃにおける前中心側端部１４ｆの幅Ｗｆ及び脇側端部１４ｓは、カップ部１０Ｃの下辺部前中心側縁１０ｌｆ、脇辺部縁１０ｓにそれぞれ接していることが好ましく、本発明は、それらの幅Ｗｆ，Ｗｓが限りなく狭く、点状である形態も含むものとする。
【００４４】
カップ部１０Ｃの他の構成は、カップ部１０と同様である。すなわち、カップ部１０Ｃは、上カップ部１２Ｃと、中カップ部１４Ｃと、下カップ部１６Ｃとを有しており、中カップ部１４Ｃは、上カップ部１２Ｃと下カップ部１６Ｃとの間に接ぎ合わされている。また、中カップ部１４Ｃは、設計上、バストトップＴが上カップ部１２Ｃと中カップ部１４Ｃとの境界に位置するように、かつ、着用時に、バストトップＴがこれらの境界又は中カップ部１４Ｃに位置するように、配置されている。また、中カップ部１４Ｃは、カップ部１０Ｃの下辺部前中心側縁１０ｌｆから、バストトップＴ近傍を通り、脇辺部縁１０ｓまで、略直線状に延在する帯状をなしている。
【００４５】
この第３の変形例のブラジャー１Ｃでも、第１の実施形態のブラジャー１と同様の利点を有する。
［第１の実施形態の第４の変形例］
【００４６】
図３（ａ）は、本発明の第１の実施形態の第４の変形例に係るブラジャーの左右の一方のみを示す図である。この第４の変形例のブラジャー１Ｄは、ブラジャー１においてカップ部１０に代えてカップ部１０Ｄを備えている構成で第１の実施形態と異なっている。第４の変形例のブラジャー１Ｄの他の構成は、第１の実施形態のブラジャー１と同一である。
【００４７】
カップ部１０Ｄは、中カップ部１４Ｄにおける脇側端部１４ｓの位置が中カップ部１４と異なる点でカップ部１０と異なっている。具体的には、中カップ部１４Ｄは、カップ部１０Ｄの下辺部前中心側縁１０ｌｆから、バストトップＴ近傍を通り、脇辺部縁１０ｓ及び上辺部脇側縁１０ｕｓまで、略直線状に延在する帯状をなしている。
【００４８】
カップ部１０Ｄの他の構成は、カップ部１０と同様である。すなわち、カップ部１０Ｄは、上カップ部１２Ｄと、中カップ部１４Ｄと、下カップ部１６Ｄとを有しており、中カップ部１４Ｄは、上カップ部１２Ｄと下カップ部１６Ｄとの間に接ぎ合わされている。また、中カップ部１４Ｄは、設計上、バストトップＴが上カップ部１２Ｄと中カップ部１４Ｄとの境界に位置するように、かつ、着用時に、バストトップＴがこれらの境界又は中カップ部１４Ｄに位置するように、配置されている。また、中カップ部１４Ｄは、前中心側端部１４ｆから脇側端部１４ｓにわたり略同等の幅を有している。
【００４９】
この第４の変形例のブラジャー１Ｄでも、第１の実施形態のブラジャー１と同様の利点を有する。
［第１の実施形態の第５の変形例］
【００５０】
図３（ｂ）は、本発明の第１の実施形態の第５の変形例に係るブラジャーの左右の一方のみを示す図である。この第５の変形例のブラジャー１Ｅは、ブラジャー１においてカップ部１０に代えてカップ部１０Ｅを備えている構成で第１の実施形態と異なっている。第５の変形例のブラジャー１Ｅの他の構成は、第１の実施形態のブラジャー１と同一である。
【００５１】
カップ部１０Ｅは、主に中カップ部１４に代えて中カップ部１４Ｅ，１５Ｅを有する点でカップ部１０と異なっている。すなわち、カップ部１０Ｅでは、中カップ部が更に中カップ部１４Ｅと中カップ部１５Ｅとの接ぎ合わせで形成されている。なお、中カップ部１５Ｅの下側には、下カップ部１６Ｅが接ぎ合わされている。このように、カップ部１０Ｅは、横方向の継ぎ目を有する横四枚接ぎカップ部を形成している。カップ部１０Ｅの他の構成は、カップ部１０と同様である。
【００５２】
この第５の変形例のブラジャー１Ｅでも、第１の実施形態のブラジャー１と同様の利点を有する。
【００５３】
更に、第５の変形例のブラジャー１Ｅによれば、中カップ部１４Ｅ，１５Ｅが更に横接ぎ構成であるのでバストの丸い形状によりフィットし、その結果、バストの造形性をより高めることができることとなる。また、バストの造形性をより高め、バストに対するカップ部のフィット性をより高めることにより、カップ部がバストにより安定して着くので、バストに対するカップ部のずれ、特に、着用者の動きに起因して生じるカップ部の上辺部の浮き又はくい込みをより抑制することができる。
［第１の実施形態の第６の変形例］
【００５４】
図３（ｃ）は、本発明の第１の実施形態の第６の変形例に係るブラジャーの左右の一方のみを示す図である。この第６の変形例のブラジャー１Ｆは、ブラジャー１においてカップ部１０に代えてカップ部１０Ｆを備えている構成で第１の実施形態と異なっている。第６の変形例のブラジャー１Ｆの他の構成は、第１の実施形態のブラジャー１と同一である。
【００５５】
カップ部１０Ｆは、下カップ部１６に代えて下カップ部１６Ｆを有する点でカップ部１０と異なっている。下カップ部１６Ｆは、ダーツＤがカップ部１０Ｆにおける下辺部側に形成されている点で下カップ部１６と異なっている。カップ部１０Ｆの他の構成は、カップ部１０と同様である。
【００５６】
この第６の変形例のブラジャー１Ｆでも、第１の実施形態のブラジャー１と同様の利点を有する。
【００５７】
更に、第６の変形例のブラジャー１Ｆによれば、下カップ部１６Ｆがバスト下部の丸い形状によりフィットし、その結果、バストの造形性をより高めることができることとなる。また、バストの造形性をより高め、バストに対するカップ部のフィット性をより高めることにより、カップ部がバストにより安定して着くので、バストに対するカップ部のずれ、特に、着用者の動きに起因して生じるカップ部の上辺部の浮き又はくい込みをより抑制することができる。
［第２の実施形態］
【００５８】
図４は、本発明の第２の実施形態に係るブラジャーを示す斜視図である。この第２の実施形態のブラジャー１Ｇは、ブラジャー１においてカップ部１０に代えてカップ部１０Ｇを備えている構成で第１の実施形態と異なっている。第２の実施形態のブラジャー１Ｇの他の構成は、第１の実施形態のブラジャー１と同一である。
【００５９】
カップ部１０Ｇは、主に中カップ部１４Ｇの態様が中カップ部１４と異なる点でカップ部１０と異なっている。具体的には、中カップ部１４Ｇは、カップ部１０Ｇの上辺部前中心側縁１０ｕｆから、バストトップＴ近傍を通り、脇辺部縁１０ｓ及び上辺部脇側縁１０ｕｓまで、略円弧状に延在する帯状をなしている。中カップ部１４Ｇは、前中心側端部１４ｆから脇側端部１４ｓにわたり略同等の幅を有している。すなわち、中カップ部１４Ｇにおける前中心側端部１４ｆの幅Ｗｆ及び脇側端部１４ｓの幅Ｗｓは、中カップ部１４Ｇにおける中央部の幅Ｗｃと略同等である。このように、カップ部１０Ｇも、横方向の継ぎ目を有する横三枚接ぎカップ部を形成している。
【００６０】
また、カップ部１０Ｇは、各部によるバストの押し上げ力の点でカップ部１０と異なっている。具体的には、下カップ部１６Ｇは中カップ部１４Ｇよりも厚くなっており、中カップ部１４Ｇは上カップ部１２Ｇよりも厚くなっている。これにより、下カップ部１４Ｇによるバストの押し上げ力が中カップ部１２Ｇよりも更に強くなっており、中カップ部１２Ｇによるバストの押し上げ力が下カップ部１６Ｇよりも更に強くなっている。
【００６１】
カップ部１０Ｇの他の構成は、カップ部１０と同様である。すなわち、カップ部１０Ｇは、上カップ部１２Ｇと、中カップ部１４Ｇと、下カップ部１６Ｇとを有しており、中カップ部１４Ｇは、上カップ部１２Ｇと下カップ部１６Ｇとの間に接ぎ合わされている。また、中カップ部１４Ｇは、設計上、バストトップＴが上カップ部１２Ｇと中カップ部１４Ｇとの境界に位置するように、かつ、着用時に、バストトップＴがこれらの境界又は中カップ部１４Ｇに位置するように、配置されている。
【００６２】
この第２の実施形態のブラジャー１Ｇでも、カップ部１０Ｇが、上カップ部１２Ｇ、中カップ部１４Ｇ及び下カップ部１６Ｇからなる横三枚接ぎカップ部であるので、丸い形状のバストに対するカップ部１０Ｇのフィット性を高めることができ、その結果、バストの造形性を高めることができる。特に、左右のバストの間の谷間を深くすることができ、バストトップを丸くすることができる。
【００６３】
特に、第２の実施形態のブラジャー１Ｇによれば、３０代後半〜４０代前半の女性に多くみられるバストであって、年齢を重ねるに従って柔らかくなり、下垂したバストに好適である。
【００６４】
この種の柔らかく、下垂したバストの造形性（寄せ、上げ）を高めるためには、下部脇側近傍を押し上げることが効果的である。第２の実施形態のブラジャー１Ｇによれば、カップ部１０Ｇの押し上げ力が上カップ部１２Ｇ、中カップ部１４Ｇ、下カップ部１６Ｇの順に次第に強くなっているので、下カップ部１６Ｇ及び中カップ部１４Ｇによって下垂したバストを押し上げることができる。したがって、第２の実施形態のブラジャー１Ｇによれば、年齢を重ねるに従って柔らかくなり、下垂したバストの造形性を高めることができる。更に、上カップ部１２Ｇ、中カップ部１４Ｇ、下カップ部１６Ｇが略円弧状をなしているので、押し上げたバストを丸く造形し、造形した丸いバストにフィットすることができる。
【００６５】
更に、第２の実施形態のブラジャー１Ｇでも、上記したように、バストの造形性が高く、バストに対するカップ部１０Ｇのフィット性が高いことにより、カップ部１０Ｇがバストに安定して着くので、バストに対するカップ部１０Ｇのずれ、特に、着用者の動きに起因して生じるカップ部１０Ｇの上辺部の浮き又はくい込みを抑制することができる。
【００６６】
なお、この構成のように、中カップ部１４Ｇにおける前中心側端部１４ｆから脇側端部１４ｓまでの幅を広くすることにより、カップ部１０Ｇがバストの丸い形状に好適にフィットし、その結果、バストの造形性を高めることができる。また、中カップ部１４Ｇによる寄せ効果を高めることができる。更に、中カップ部１４Ｇの接ぎ合わせ時、中カップ部１４Ｇの前中心側端部１４ｆ及び脇側端部１４ｓを支持し易く、製造が容易である。
［第２実施形態の第１の変形例］
【００６７】
図５（ａ）は、本発明の第２の実施形態の第１の変形例に係るブラジャーの左右の一方のみを示す図である。この第１の変形例のブラジャー１Ｈは、ブラジャー１Ｇにおいてカップ部１０Ｇに代えてカップ部１０Ｈを備えている構成で第２の実施形態と異なっている。第１の変形例のブラジャー１Ｈの他の構成は、第２の実施形態のブラジャー１Ｇと同一である。
【００６８】
カップ部１０Ｈは、中カップ部１４Ｈにおける各部の幅が中カップ部１４Ｇと異なる点でカップ部１０Ｇと異なっている。具体的には、中カップ部１４Ｈの幅は、脇側端部１４ｓから前中心側端部１４ｆへ向けて次第に広くなっている。すなわち、中カップ部１４Ｈにおける前中心側端部１４ｆの幅Ｗｆは、中カップ部１４Ｈにおける中央部の幅Ｗｃよりも広くなっており、中カップ部１４Ｈにおける中央部の幅Ｗｃは、中カップ部１４Ｈにおける脇側端部１４ｓの幅Ｗｓよりも広くなっている。なお、中カップ部１４Ｈにおける脇側端部１４ｓは、カップ部１０Ｈの脇辺部縁１０ｓ又は上辺部脇側縁１０ｕｓに接していることが好ましく、本発明は、その幅Ｗｓが限りなく狭く、点状である形態も含むものとする。
【００６９】
カップ部１０Ｈの他の構成は、カップ部１０Ｇと同様である。すなわち、カップ部１０Ｈは、上カップ部１２Ｈと、中カップ部１４Ｈと、下カップ部１６Ｈとを有しており、中カップ部１４Ｈは、上カップ部１２Ｈと下カップ部１６Ｈとの間に接ぎ合わされている。また、中カップ部１４Ｈは、設計上、バストトップＴが上カップ部１２Ｈと中カップ部１４Ｈとの境界に位置するように、かつ、着用時に、バストトップＴがこれらの境界又は中カップ部１４Ｈに位置するように、配置されている。また、中カップ部１４Ｈは、カップ部１０Ｈの上辺部前中心側縁１０ｕｆから、バストトップＴ近傍を通り、脇辺部縁１０ｓ上辺部脇側縁１０ｕｓまで、略円弧状に延在する帯状をなしている。
【００７０】
この第１の変形例のブラジャー１Ｈでも、第２の実施形態のブラジャー１Ｇと同様の利点を有する。
【００７１】
なお、この構成のように、中カップ部１４Ｈにおける前中心側端部１４ｆの幅Ｗｆを広くすることにより、カップ部がバストの丸い形状に好適にフィットし、その結果、バストの造形性を高めることができることとなる。
［第２実施形態の第２の変形例］
【００７２】
図５（ｂ）は、本発明の第２の実施形態の第２の変形例に係るブラジャーの左右の一方のみを示す図である。この第２の変形例のブラジャー１Ｉは、ブラジャー１Ｇにおいてカップ部１０Ｇに代えてカップ部１０Ｉを備えている構成で第２の実施形態と異なっている。第２の変形例のブラジャー１Ｉの他の構成は、第２の実施形態のブラジャー１Ｇと同一である。
【００７３】
カップ部１０Ｉは、中カップ部１４Ｉにおける各部の幅が中カップ部１４Ｇと異なる点でカップ部１０Ｇと異なっている。具体的には、中カップ部１４Ｉの幅は、前中心側端部１４ｆから脇側端部１４ｓへ向けて次第に広くなっている。すなわち、中カップ部１４Ｉにおける脇側端部１４ｓの幅Ｗｓは、中カップ部１４Ｉにおける中央部の幅Ｗｃよりも広くなっており、中カップ部１４Ｉにおける中央部の幅Ｗｃは、中カップ部１４Ｉにおける前中心側端部１４ｆの幅Ｗｆより広くなっている。なお、中カップ部１４Ｉにおける前中心側端部１４ｆは、カップ部１０Ｉの上辺部前中心側縁１０ｕｆに接していることが好ましく、本発明は、その幅Ｗｆが限りなく狭く、点状である形態も含むものとする。
【００７４】
カップ部１０Ｉの他の構成は、カップ部１０Ｇと同様である。すなわち、カップ部１０Ｉは、上カップ部１２Ｉと、中カップ部１４Ｉと、下カップ部１６Ｉとを有しており、中カップ部１４Ｉは、上カップ部１２Ｉと下カップ部１６Ｉとの間に接ぎ合わされている。また、中カップ部１４Ｉは、設計上、バストトップＴが上カップ部１２Ｉと中カップ部１４Ｉとの境界に位置するように、かつ、着用時に、バストトップＴがこれらの境界又は中カップ部１４Ｉに位置するように、配置されている。また、中カップ部１４Ｉは、カップ部１０Ｉの上辺部前中心側縁１０ｕｆから、バストトップＴ近傍を通り、脇辺部縁１０ｓ及び上辺部脇側縁１０ｕｓまで、略円弧状に延在する帯状をなしている。
【００７５】
この第２の変形例のブラジャー１Ｉでも、第２の実施形態のブラジャー１Ｇと同様の利点を有する。
【００７６】
なお、この構成のように、中カップ部１４Ｉにおける脇側端部１４ｓの幅Ｗｓを広くすることにより、カップ部がバストの丸い形状に好適にフィットし、その結果、バストの造形性を高めることができることとなる。また、中カップ部によるバストの寄せ効果を高めることができる。
［第２実施形態の第３の変形例］
【００７７】
図５（ｃ）は、本発明の第２の実施形態の第３の変形例に係るブラジャーの左右の一方のみを示す図である。この第３の変形例のブラジャー１Ｊは、ブラジャー１Ｇにおいてカップ部１０Ｇに代えてカップ部１０Ｊを備えている構成で第２の実施形態と異なっている。第３の変形例のブラジャー１Ｊの他の構成は、第２の実施形態のブラジャー１Ｇと同一である。
【００７８】
カップ部１０Ｊは、中カップ部１４Ｊにおける各部の幅が中カップ部１４Ｇと異なる点でカップ部１０Ｇと異なっている。具体的には、中カップ部１４Ｊの幅は、中央部から前中心側端部１４ｆ及び脇側端部１４ｓへ向けて次第に広くなっている。すなわち、中カップ部１４Ｊにおける中央部の幅Ｗｃは、中カップ部１４Ｊにおける前中心側端部１４ｆの幅Ｗｆ及び脇側端部１４ｓの幅Ｗｓよりも広くなっている。なお、中カップ部１４Ｊにおける前中心側端部１４ｆの幅Ｗｆ及び脇側端部１４ｓは、カップ部１０Ｊの上辺部前中心側縁１０ｕｆ、脇辺部縁１０ｓ又は上辺部脇側縁１０ｕｓにそれぞれ接していることが好ましく、本発明は、それらの幅Ｗｆ，Ｗｓが限りなく狭く、点状である形態も含むものとする。
【００７９】
カップ部１０Ｊの他の構成は、カップ部１０Ｇと同様である。すなわち、カップ部１０Ｊは、上カップ部１２Ｊと、中カップ部１４Ｊと、下カップ部１６Ｊとを有しており、中カップ部１４Ｊは、上カップ部１２Ｊと下カップ部１６Ｊとの間に接ぎ合わされている。また、中カップ部１４Ｊは、設計上、バストトップＴが上カップ部１２Ｊと中カップ部１４Ｊとの境界に位置するように、かつ、着用時に、バストトップＴがこれらの境界又は中カップ部１４Ｊに位置するように、配置されている。また、中カップ部１４Ｊは、カップ部１０Ｊの上辺部前中心側縁１０ｕｆから、バストトップＴ近傍を通り、脇辺部縁１０ｓ及び上辺部脇側縁１０ｕｓまで、略円弧状に延在する帯状をなしている。
【００８０】
この第３の変形例のブラジャー１Ｊでも、第２の実施形態のブラジャー１Ｇと同様の利点を有する。
［第２実施形態の第４の変形例］
【００８１】
図６（ａ）は、本発明の第２の実施形態の第４の変形例に係るブラジャーの左右の一方のみを示す図である。この第４の変形例のブラジャー１Ｋは、ブラジャー１Ｇにおいてカップ部１０Ｇに代えてカップ部１０Ｋを備えている構成で第２の実施形態と異なっている。第４の変形例のブラジャー１Ｋの他の構成は、第２の実施形態のブラジャー１Ｇと同一である。
【００８２】
カップ部１０Ｋは、中カップ部１４Ｋにおける前中心側端部１４ｆ及び脇側端部１４ｓの位置が中カップ部１４Ｇと異なる点でカップ部１０Ｇと異なっている。具体的には、中カップ部１４Ｋは、カップ部１０Ｄの上辺部前中心側縁１０ｕｆ及び下辺部前中心側縁１０ｌｆから、バストトップＴ近傍を通り、脇辺部縁１０ｓ及び上辺部脇側縁１０ｕｓまで、略円弧状に延在する帯状をなしている。
【００８３】
カップ部１０Ｋの他の構成は、カップ部１０Ｇと同様である。すなわち、カップ部１０Ｋは、上カップ部１２Ｋと、中カップ部１４Ｋと、下カップ部１６Ｋとを有しており、中カップ部１４Ｋは、上カップ部１２Ｋと下カップ部１６Ｋとの間に接ぎ合わされている。また、中カップ部１４Ｋは、設計上、バストトップＴが上カップ部１２Ｋと中カップ部１４Ｋとの境界に位置するように、かつ、着用時に、バストトップＴがこれらの境界又は中カップ部１４Ｋに位置するように、配置されている。また、中カップ部１４Ｋは、前中心側端部１４ｆから脇側端部１４ｓにわたり略同等の幅を有している。
【００８４】
この第４の変形例のブラジャー１Ｋでも、第２の実施形態のブラジャー１Ｇと同様の利点を有する。
［第２実施形態の第５の変形例］
【００８５】
図６（ｂ）は、本発明の第２の実施形態の第５の変形例に係るブラジャーの左右の一方のみを示す図である。この第５の変形例のブラジャー１Ｌは、ブラジャー１Ｇにおいてカップ部１０Ｇに代えてカップ部１０Ｌを備えている構成で第２の実施形態と異なっている。第５の変形例のブラジャー１Ｌの他の構成は、第２の実施形態のブラジャー１Ｇと同一である。
【００８６】
カップ部１０Ｌは、主に中カップ部１４Ｇに代えて中カップ部１４Ｌ，１５Ｌを有する点でカップ部１０Ｇと異なっている。すなわち、カップ部１０Ｌでは、中カップ部が更に中カップ部１４Ｌと中カップ部１５Ｌとの接ぎ合わせで形成されている。なお、中カップ部１５Ｌの下側には、下カップ部１６Ｌが接ぎ合わされている。このように、カップ部１０Ｌは、横方向の継ぎ目を有する横四枚接ぎカップ部を形成している。カップ部１０Ｌの他の構成は、カップ部１０Ｇと同様である。
【００８７】
この第５の変形例のブラジャー１Ｌでも、第２の実施形態のブラジャー１Ｇと同様の利点を有する。
【００８８】
更に、第５の変形例のブラジャー１Ｌによれば、中カップ部１４Ｌ，１５Ｌが更に横接ぎ構成であるのでバストの丸い形状によりフィットし、その結果、バストの造形性をより高めることができることとなる。また、バストの造形性をより高め、バストに対するカップ部のフィット性をより高めることにより、カップ部がバストにより安定して着くので、バストに対するカップ部のずれ、特に、着用者の動きに起因して生じるカップ部の上辺部の浮き又はくい込みをより抑制することができる。
［第２実施形態の第６の変形例］
【００８９】
図６（ｃ）は、本発明の第２の実施形態の第６の変形例に係るブラジャーの左右の一方のみを示す図である。この第６の変形例のブラジャー１Ｍは、ブラジャー１Ｇにおいてカップ部１０Ｇに代えてカップ部１０Ｍを備えている構成で第２の実施形態と異なっている。第６の変形例のブラジャー１Ｍの他の構成は、第２の実施形態のブラジャー１Ｇと同一である。
【００９０】
カップ部１０Ｍは、下カップ部１６Ｇに代えて下カップ部１６Ｍを有する点でカップ部１０Ｇと異なっている。下カップ部１６Ｍは、ダーツＤがカップ部１０Ｍにおける下辺部側に形成されている点で下カップ部１６Ｇと異なっている。カップ部１０Ｍの他の構成は、カップ部１０Ｇと同様である。
【００９１】
この第６の変形例のブラジャー１Ｍでも、第２の実施形態のブラジャー１Ｇと同様の利点を有する。
【００９２】
更に、第６の変形例のブラジャー１Ｍによれば、下カップ部１６Ｍがバスト下部の丸い形状によりフィットし、その結果、バストの造形性をより高めることができることとなる。また、バストの造形性をより高め、バストに対するカップ部のフィット性をより高めることにより、カップ部がバストにより安定して着くので、バストに対するカップ部のずれ、特に、着用者の動きに起因して生じるカップ部の上辺部の浮き又はくい込みをより抑制することができる。
【００９３】
なお、本発明は上記した本実施形態及び変形例に限定されることなく種々の変形が可能である。例えば、本実施形態及び変形例では、横三枚接ぎカップ部及び横四枚接ぎカップ部１０，１０Ａ〜１０Ｍを例示したが、カップ部は、横方向の継ぎ目を有するように、五枚以上の布を接ぎ合わせてもよい。
【００９４】
また、第１の実施形態の第６の変形例、及び、第２の実施形態の第６の変形例では、下カップ部１６Ｆ，１６Ｍがそれぞれカップ部１０Ｆ，１０Ｍにおける下辺部側において略縦方向に１本のダーツを有する一例を示したが、下カップ部は２本以上のダーツを有してもよい。また、下カップ部は、ダーツの代わりに、縦方向の継ぎ目を有するように二枚以上の布を継ぎ合わせてもよい。
【００９５】
また、本実施形態及び変形例では、中カップ部１４，１４Ａ〜１４Ｅ，１５Ｅ，１４Ｇ〜１４Ｌ，１５Ｌが、カップ部１０，１０Ａ〜１０Ｍの下辺部前中心側縁１０ｌｆ又は上辺部前中心側縁１０ｕｆから、脇辺部縁１０ｓ又は上辺部脇側縁１０ｕｓまで延在する例を示したが、中カップ部は、カップ部の下辺部前中心側縁又は上辺部前中心側縁から、下辺部脇側縁まで延在してもよい。
【００９６】
また、本実施形態及び変形例では、上カップ部１２，１２Ａ〜１２Ｄ，１２Ｇ〜１２Ｋ、中カップ部１４，１４Ａ〜１４Ｅ，１５Ｅ，１４Ｇ〜１４Ｌ，１５Ｌ及び、下カップ部１６，１６Ａ〜１６Ｍの生地の厚みによってバストの押し上げ力を調節したが、バストの押し上げ力は、生地の伸縮性などによっても調節可能である。
【００９７】
また、本実施形態及び変形例では、布からなるカップ部１０，１０Ａ〜１０Ｍを例示したが、本実施形態及び変形例の特徴は、モールドタイプのカップ部にも適用可能である。
【００９８】
本実施形態及び変形例では、カップワイヤー３０を備えるブラジャーを例示したが、本実施形態及び変形例の特徴は、上記したように、カップワイヤーを備えないノンワイヤータイプのブラジャーにも適用可能である。
【００９９】
また、本実施形態及び変形例では、土台部２２を備えるブラジャーを例示したが、本実施形態及び変形例の特徴は、上記したように、土台部を備えないタイプのブラジャーにも適用可能である。
【０１００】
また、本実施形態及び変形例では、バックベルト部２４の後端をホック等で掛け留めするタイプのブラジャーを例示したが、本実施形態及び変形例の特徴は、前中心において土台部２２の左右を分離してホック等で掛け留めするフロントホックタイプのブラジャーにも適用可能である。
【０１０１】
また、本実施形態及び変形例では、カップ部が、上カップ部、中カップ部及び下カップ部からなる横三枚接ぎカップ部を備えるブラジャーを例示したが、本実施形態及び変形例の特徴は、カップ部の表側に装飾用のレース生地等を備えたタイプのブラジャーや、カップ部の裏側にパッドを挿入することができるパッド受け部（パッド挿入部）を備えたタイプのブラジャーにも適用可能である。
【０１０２】
また、本実施形態及び変形例の特徴は、フルカップブラジャー、３／４カップブラジャー及び１／２カップブラジャー等のすべてのタイプのブラジャーに適用可能である。
【０１０３】
また、本実施形態及び変形例の特徴は、ブラジャー以外でも、ブラスリップ、ブラキャミソール、ボディスーツ、カップ付きテディ、水着等のようにカップ部を備える衣類であればすべてに適用可能である。
【符号の説明】
【０１０４】
１，１Ａ，１Ｂ，１Ｃ，１Ｄ，１Ｅ，１Ｆ，１Ｇ，１Ｈ，１Ｉ，１Ｊ，１Ｋ，１Ｌ，１Ｍ…ブラジャー（カップ部を有する衣類）、１０，１０Ａ，１０Ｂ，１０Ｃ，１０Ｄ，１０Ｅ，１０Ｆ，１０Ｇ，１０Ｈ，１０Ｉ，１０Ｊ，１０Ｋ，１０Ｌ，１０Ｍ…カップ部、１０ｕｆ…カップ部の上辺部前中心側縁、１０ｕｓ…カップ部の上辺部脇側縁、１０ｌｆ…カップ部の下辺部前中心側縁、１０ｓ…カップ部の脇辺部縁、１２，１２Ａ，１２Ｂ，１２Ｃ，１２Ｄ，１２Ｇ，１２Ｈ，１２Ｉ，１２Ｊ，１２Ｋ…上カップ部、１４，１４Ａ，１４Ｂ，１４Ｃ，１４Ｄ，１４Ｅ，１４Ｇ，１４Ｈ，１４Ｉ，１４Ｊ，１４Ｋ，１４Ｌ，１５Ｅ，１５Ｌ…中カップ部、１４ｆ…中カップ部の前中心側端部、１４ｓ…中カップ部の脇側端部、１６，１６Ａ，１６Ｂ，１６Ｃ，１６Ｄ，１６Ｅ，１６Ｆ，１６Ｇ，１６Ｈ，１６Ｉ，１６Ｊ，１６Ｋ，１６Ｌ，１６Ｍ…下カップ部、２２…土台部、２４…バックベルト部、２６…肩紐部、３０…カップワイヤー、Ｔ…バストトップ。
【図１】
2014070285.tif 000003
【図２】
2014070285.tif 000004
【図３】
2014070285.tif 000005
【図４】
2014070285.tif 000006
【図５】
2014070285.tif 000007
【図６】
2014070285.tif 000008
【図７】
2014070285.tif 000009